(57)【特許請求の範囲】
【請求項１】
送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、
受信した信号における周波数領域上に配置されたＳＰ信号のパターン、地上デジタル放送波の信号のＳＰ信号として周波数領域上に予め配置されたＳＰ信号のパターン、及び連結再送信信号のＳＰ信号として周波数領域上に予め配置されたＳＰ信号のパターンに基づいて、受信した信号が地上デジタル放送波の信号であるか、または連結再送信信号であるかを判定することを特徴とする受信装置。
【請求項２】
送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、
受信した信号におけるＲＦ信号をＩＦ信号に変換する受信変換手段と、
前記受信変換手段により変換されたＩＦ信号の１つのチャンネルにおける中央のセグメント以外の少なくとも１つのセグメントの信号を抽出するフィルタ手段と、
前記フィルタ手段により抽出された信号をデジタルＩＦ信号に変換するＡＤ変換手段と、
前記ＡＤ変換手段により変換されたデジタルＩＦ信号に直交復調を施し、複素の等価ベースバンド信号に変換する直交復調手段と、
前記直交復調手段により変換された複素の等価ベースバンド信号からシンボル同期を検出するシンボル同期検出手段と、
前記シンボル同期検出手段により検出されたシンボル同期により、前記複素の等価ベースバンド信号を周波数領域の信号に変換するＦＦＴ手段と、
前記ＦＦＴ手段により変換された周波数領域の信号のうちの前記周波数領域上に配置されたＳＰ信号のパターンと、地上デジタル放送波の信号の周波数領域上に予め配置されたＳＰ信号の基準パターンとに基づいて、前記２つのパターンの一致度合いを第１の係数として算出し、前記周波数領域上に配置されたＳＰ信号のパターンと連結再送信信号の周波数領域上に予め配置されたＳＰ信号の基準パターンとに基づいて、前記２つのパターンの一致度合いを第２の係数として算出する係数算出手段と、
前記係数算出手段により算出された第１及び第２の係数を用いて、２つのパターンの一致度合いが大きい方を特定し、当該大きい方の基準パターンが地上デジタル放送波の信号の基準パターンである場合は、前記受信した信号が地上デジタル放送波の信号であると判定し、当該大きい方の基準パターンが連結再送信信号の基準パターンである場合は、前記受信した信号が連結再送信信号であると判定する判定手段と、
を備えたことを特徴とする受信装置。
【請求項３】
請求項２に記載の受信装置において、
前記ＦＦＴ手段により変換された周波数領域の信号のうちの前記周波数領域上に配置されたＳＰ信号のパターン及び地上デジタル放送波の信号の周波数領域上に予め配置されたＳＰ信号の基準パターンにより、複素除算して第１のコンスタレーションを求め、前記周波数領域上に配置されたＳＰ信号のパターン及び連結再送信信号の周波数領域上に予め配置されたＳＰ信号の基準パターンにより、複素除算して第２のコンスタレーションを求めるコンスタレーション算出手段を備え、
前記係数算出手段が、コンスタレーション算出手段により算出された第１のコンスタレーションを用いて、前記受信した信号におけるＳＰ信号のパターンと前記地上デジタル放送波の信号におけるＳＰ信号の基準パターンとの一致度合いを第１の係数として算出し、前記第２のコンスタレーションを用いて、前記受信した信号におけるＳＰ信号のパターンと前記連結再送信信号におけるＳＰ信号の基準パターンとの一致度合いを第２の係数として算出し、
前記判定手段が、係数算出手段により算出された第１及び第２の係数を用いて、受信した信号を判定することを特徴とする受信装置。
【請求項４】
請求項３に記載の受信装置において、
前記コンスタレーション算出手段の代わりに、第１のコンスタレーション算出手段及び第２のコンスタレーション算出手段を備え、
前記第１のコンスタレーション算出手段が、前記ＦＦＴ手段により変換された周波数領域の信号のうちの前記周波数領域上に配置されたＳＰ信号のパターン及び地上デジタル放送波の信号の周波数領域上に予め配置されたＳＰ信号の基準パターンにより、複素除算して第１のコンスタレーションを求め、
前記第２のコンスタレーション算出手段が、前記ＦＦＴ手段により変換された周波数領域上に配置されたＳＰ信号のパターン及び連結再送信信号の周波数領域上に予め配置されたＳＰ信号の基準パターンにより、複素除算して第２のコンスタレーションを求めることを特徴とする受信装置。
【発明の詳細な説明】
【技術分野】
【０００１】
本発明は、地上デジタル放送波受信装置に関わり、受信信号が地上デジタル放送波の信号であるか、または、ワンセグ信号を連結して再送信した信号であるかを識別する受信装置に関する。
【背景技術】
【０００２】
日本の地上デジタルテレビジョン放送の技術方式はＩＳＤＢ−Ｔ（Integrated  Services  Digital  Broadcasting  for  Terrestrial）方式と呼ばれ、変調方式としてＯＦＤＭ（Orthogonal  Frequency  Division  Multiplexing）変調方式を採用している。また、地上デジタル放送は、１チャンネルに相当する１３個のセグメント（合計帯域幅５.６ＭＨｚ、両端のガードバンドを含めると６ＭＨｚ）を使用した送信データを放送することにより実現される。
【０００３】
家庭内に設置されたテレビは、固定のアンテナを介してこの１３セグメントの信号を一括して受信する。これに対し、携帯電話やＰＤＡ（Personal  Digital  Assistant）等は、携帯・移動体向け放送を実現するために、この１３セグメントのうちの中央の１セグメントのみを受信する、いわゆるワンセグ受信を行う。
【０００４】
ここで、携帯・移動体向け放送のワンセグサービスを実現するためには、地上デジタル放送波が直接届かない屋外のビル陰、ビル内、地下街等においても良好にワンセグ受信できることが望ましい。これに対応するためには、地上デジタル放送波が直接届かない場所へワンセグ信号を再送信する必要がある。例えば、地上デジタル放送波の１３セグメントの信号を全て受信し、その受信信号を周波数変換して異なる周波数で再送信する再送信装置（非特許文献１を参照）や、その受信信号をそのまま単一周波数で再送信する再送信装置も知られている（特許文献１，２，３を参照）。さらに、地上デジタル放送波の１３セグメントの信号を全て受信し、チャンネル毎にワンセグ信号のみを抽出し、抽出したそれぞれのワンセグ信号を連結して再送信する再送信装置も知られている（特許文献４，５，６を参照）。
【０００５】
このような再送信装置からの信号は、（１）地上デジタル放送波をそのまま送信した再送信信号、または、（２）ワンセグ信号を連結して送信した再送信信号のうちのいずれかの信号である。例えば、全てのチャンネルの信号が（１）の場合、ワンセグ信号が１３セグメントの信号の中央に存在することから、受信装置は、１３セグメントの信号の中央が中心になるように、６ＭＨｚステップでスキャンして１チャンネル毎のワンセグ信号を復調する。一方、全てのチャンネルの信号が（２）の場合、連結された再送信信号の全てのセグメントがワンセグ信号であることから、各セグメントの信号の中央が中心になるように、６／１４ＭＨｚ（＝３／７ＭＨｚ≒４２８ｋＨｚ）ステップでスキャンし、これをチャンネル毎に繰り返してそれぞれのワンセグ信号を復調する。
【０００６】
【非特許文献１】都竹愛一郎他、「ＯＦＤＭによる地上デジタル放送−二周波放送中継の検討−」、１９９５年テレビジョン学会年次大会予稿集、ｐ．２７７〜２７８
【特許文献１】特開平１０−７５２６２号公報
【特許文献２】特開平１０−７５２６３号公報
【特許文献３】特開平１０−２８１０５号公報
【特許文献４】特開２００６−１０９２８３号公報
【特許文献５】特開２００６−２８６４６８号公報
【特許文献６】特開２００６−３４００１２号公報
【発明の開示】
【発明が解決しようとする課題】
【０００７】
しかしながら、再送信装置からの再送信信号は、チャンネル毎に前述の（１）または（２）の信号となって、混在することがあり得る。この場合、再送信信号を受信する受信装置は、チャンネル毎に、前述した（１）及び（２）の信号のうちのいずれかの信号を受信することになる。
【０００８】
ここで、再送信装置により再送信される（１）または（２）の信号が、チャンネル毎に予め設定されている場合は、ワンセグ信号を受信する携帯端末等の受信装置はその設定に従ってワンセグ信号を復調すればよい。すなわち、受信装置は、（１）の信号を送受信するチャンネルに対して、１３セグメントの信号の中央が中心になるように、６ＭＨｚステップでスキャンしてワンセグ信号を復調し、一方、（２）の信号を送受信するチャンネルに対して、各セグメントの信号の中央が中心になるように、約４２８ｋＨｚステップでスキャンしてそれぞれのワンセグ信号を復調すればよい。
【０００９】
一方、再送信装置により再送信される（１）または（２）の信号が、チャンネル毎に予め設定されていない場合は、ワンセグ信号を受信する携帯端末等の受信装置は、全てのチャンネルにおいて（２）の信号を受信する可能性があることから、全てのチャンネルに対して約４２８ｋＨｚステップでスキャン処理を行う必要がある。これは、６ＭＨｚステップでスキャン処理を行うと、（１）の信号の受信処理は可能であるが、（２）の信号の受信処理が不可能になってしまうからである。したがって、受信装置は、（１）の信号を受信したときに、本来は６ＭＨｚステップでスキャン処理を行えばよいが、約４２８ｋＨｚステップでスキャン処理してしまうため、本来よりも１３倍の無駄な時間がかかってしまう。
【００１０】
このように、従来の受信装置では、チャンネル毎に（１）または（２）の信号を受信する場合に、ワンセグ信号を復調するためのスキャン処理に無駄な時間を費やしてしまうという問題があった。
【００１１】
尚、前述の受信装置は、地上デジタル放送波が直接届く場所では、送信局からの地上デジタル放送波の信号を直接受信する。この場合、受信装置は、前記（１）の再送信信号の受信処理と同じ受信処理を行う。
【００１２】
そこで、本発明はこのような問題に鑑みてなされたものであり、その目的は、受信信号が、地上デジタル放送波の信号（送信局が直接送信した地上デジタル放送波の信号、またはその地上デジタル放送波をそのまま再送信した信号）であるか、または、ワンセグ信号を連結して送信した再送信信号であるかを識別することにより、受信信号を復調する際の処理負担を軽減し処理時間を短縮可能な、地上デジタル放送波受信装置を提供することにある。
【課題を解決するための手段】
【００１３】
前記課題を解決するために、本発明では、地上デジタル放送波の周波数領域上に配置されたＳＰ信号のパターンと、一部のセグメントを抽出して連結した信号の周波数領域上に配置されたＳＰ信号のパターンとの違いを利用することにより、受信信号が地上デジタル放送波の信号か連結再送信信号かを識別することを特徴とする。
【００１４】
具体的には、本発明による受信装置は、送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、受信した信号における周波数領域上に配置されたＳＰ信号のパターン、地上デジタル放送波の信号のＳＰ信号として周波数領域上に予め配置されたＳＰ信号のパターン、及び連結再送信信号のＳＰ信号として周波数領域上に予め配置されたＳＰ信号のパターンに基づいて、受信した信号が地上デジタル放送波の信号であるか、または連結再送信信号であるかを判定することを特徴とする。
【００１５】
また、本発明による受信装置は、送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、受信した信号におけるＲＦ信号をＩＦ信号に変換する受信変換手段と、前記受信変換手段により変換されたＩＦ信号の１つのチャンネルにおける中央のセグメント以外の少なくとも１つのセグメントの信号を抽出するフィルタ手段と、前記フィルタ手段により抽出された信号をデジタルＩＦ信号に変換するＡＤ変換手段と、前記ＡＤ変換手段により変換されたデジタルＩＦ信号に直交復調を施し、複素の等価ベースバンド信号に変換する直交復調手段と、前記直交復調手段により変換された複素の等価ベースバンド信号からシンボル同期を検出するシンボル同期検出手段と、前記シンボル同期検出手段により検出されたシンボル同期により、前記複素の等価ベースバンド信号を周波数領域の信号に変換するＦＦＴ手段と、前記ＦＦＴ手段により変換された周波数領域の信号のうちの前記周波数領域上に配置されたＳＰ信号のパターンと、地上デジタル放送波の信号の周波数領域上に予め配置されたＳＰ信号の基準パターンとに基づいて、前記２つのパターンの一致度合いを第１の係数として算出し、前記周波数領域上に配置されたＳＰ信号のパターンと連結再送信信号の周波数領域上に予め配置されたＳＰ信号の基準パターンとに基づいて、前記２つのパターンの一致度合いを第２の係数として算出する係数算出手段と、前記係数算出手段により算出された第１及び第２の係数を用いて、２つのパターンの一致度合いが大きい方を特定し、当該大きい方の基準パターンが地上デジタル放送波の信号の基準パターンである場合は、前記受信した信号が地上デジタル放送波の信号であると判定し、当該大きい方の基準パターンが連結再送信信号の基準パターンである場合は、前記受信した信号が連結再送信信号であると判定する判定手段と、を備えたことを特徴とする。
【００１６】
また、本発明による受信装置は、前記ＦＦＴ手段により変換された周波数領域の信号のうちの前記周波数領域上に配置されたＳＰ信号のパターン及び地上デジタル放送波の信号の周波数領域上に予め配置されたＳＰ信号の基準パターンにより、複素除算して第１のコンスタレーションを求め、前記周波数領域上に配置されたＳＰ信号のパターン及び連結再送信信号の周波数領域上に予め配置されたＳＰ信号の基準パターンにより、複素除算して第２のコンスタレーションを求めるコンスタレーション算出手段を備え、前記係数算出手段が、コンスタレーション算出手段により算出された第１のコンスタレーションを用いて、前記受信した信号におけるＳＰ信号のパターンと前記地上デジタル放送波の信号におけるＳＰ信号の基準パターンとの一致度合いを第１の係数として算出し、前記第２のコンスタレーションを用いて、前記受信した信号におけるＳＰ信号のパターンと前記連結再送信信号におけるＳＰ信号の基準パターンとの一致度合いを第２の係数として算出し、前記判定手段が、係数算出手段により算出された第１及び第２の係数を用いて、受信した信号を判定することを特徴とする。
【００１７】
本発明による受信装置は、前記コンスタレーション算出手段の代わりに、第１のコンスタレーション算出手段及び第２のコンスタレーション算出手段を備え、前記第１のコンスタレーション算出手段が、前記ＦＦＴ手段により変換された周波数領域の信号のうちの前記周波数領域上に配置されたＳＰ信号のパターン及び地上デジタル放送波の信号の周波数領域上に予め配置されたＳＰ信号の基準パターンにより、複素除算して第１のコンスタレーションを求め、前記第２のコンスタレーション算出手段が、前記ＦＦＴ手段により変換された周波数領域上に配置されたＳＰ信号のパターン及び連結再送信信号の周波数領域上に予め配置されたＳＰ信号の基準パターンにより、複素除算して第２のコンスタレーションを求めることを特徴とする。
【発明の効果】
【００１８】
以上のように、本発明によれば、受信信号が地上デジタル放送波の信号であるか、または、ワンセグ信号を連結して送信した再送信信号であるかを、地上デジタル放送波の周波数軸上に配置されたＳＰ信号のパターンと、連結して送信した信号の周波数軸上に配置されたＳＰ信号のパターンとの間の違いに基づいて識別する。これにより、受信信号を復調する際に、受信信号に応じた処理が可能となり、その処理負担を軽減し処理時間を短縮することが可能となる。
【発明を実施するための最良の形態】
【００１９】
以下、本発明を実施するための最良の形態について図面を用いて詳細に説明する。
本発明の実施の形態による受信装置は、ＩＳＤＢ−Ｔ方式の地上デジタル放送波が直接届かない場所で使用され、再送信装置により地上デジタル放送波をそのまま送信した信号、及び、再送信装置によりワンセグ信号だけを抽出及び連結して送信した信号を受信する場合を例に説明する。尚、この受信装置は、地上デジタル放送波が直接届く場合で使用された場合、送信所が送信した地上デジタル放送波を直接受信する。この場合の受信処理は、再送信装置によりそのまま再送信された地上デジタル放送波を受信する場合の受信処理と同様になる。
【００２０】
図８は、ＩＳＤＢ−Ｔ方式の地上デジタル放送波のセグメント配置と番号を示す図である。ＩＳＤＢ−Ｔ方式では、ＯＦＤＭ信号を構成する５６００本余りのサブキャリアを１３のグループに分割し、その１３のグループの１つ１つをセグメントと称している。セグメントは０〜１２のセグメント番号（＃０〜＃１２）で区別されており、セグメント番号０のセグメント＃０は部分受信部のセグメントであり、携帯・移動体向け放送用のデータが振り分けられている。この１３セグメントは１チャンネルに相当し、帯域幅は６ＭＨｚである。放送事業者には、１３セグメントから構成される帯域幅６ＭＨｚの１チャンネルが割り当てられ、各放送事業者は、それぞれ割り当てられたこの１チャンネルの中でＩＳＤＢ−Ｔ方式のＯＦＤＭ信号を放送する。
【００２１】
再送信装置は、このような地上デジタル放送波を受信状況の良い場所で受信し、地上デジタル放送波が直接届かない屋外のビル陰、ビル内、地下街等に存在する受信装置に向けて再送信する。この再送信装置における再送信の形態には、図６に示すように、受信した地上デジタル放送波の信号をそのまま再送信する場合（以下、再送信された信号を「地上デジタル放送波再送信信号」という。）と、図７に示すように、各放送事業者に割り当てられた地上デジタル放送波の１チャンネルの信号からワンセグ信号だけを抽出して連結し、その連結した信号を再送信する場合（以下、このように再送信された信号を「連結再送信信号」という。）とがある。ここで、地上デジタル放送波再送信信号及び連結再送信信号は、共に同じ１３個のセグメントで構成されており、図１２に示すように、基準信号として使用するＳＰ信号が、各セグメントにおいて同じキャリア番号の位置に配置されている。
【００２２】
図１３は、図１２に示したＳＰ信号を生成するＰＲＢＳ（Pseudo-Random  Binary  Sequence）生成回路の構成を示すブロック図である。このＰＲＢＳ生成回路は、１１個のメモリ（Ｄ）及び１個の演算器（＋）を備えて構成される。１１個のメモリ（Ｄ）には、ＳＰ信号を生成するための１１ビットの初期値が、１ビットずつそれぞれ格納される。ＰＲＢＳ生成回路は、１１個のメモリ（Ｄ）に初期値が格納された状態で、第１１番目の（最上位のビットデータを格納する）メモリ（Ｄ）に格納されたビットデータを、ＳＰ信号（ＳＰ信号の候補となる信号）として出力する。この場合、１１個のメモリ（Ｄ）はシフトレジスタのように動作し、第１番目の（最下位のビットデータのデータを格納する）メモリ（Ｄ）には、第１０番目のメモリ（Ｄ）のビットデータと１１番目のメモリ（Ｄ）のビットデータとの間の論理和を演算した結果が格納される。そして、このようなＰＲＢＳ生成回路により出力された信号（ＳＰ信号の候補となる信号）は、図１２に示したキャリア番号の位置にそれぞれ設定される。具体的には、図１２において、例えば、ＳＰパターン１では、第１番目のキャリア、第１３番目のキャリア等がＳＰ信号であり、ＳＰパターン２では、第４番目のキャリア、第１６番目のキャリア等がＳＰ信号である。したがって、ＳＰパターン１において、ＰＲＢＳ生成回路により第１番目に出力された信号はＳＰ信号として使用され、第２〜１２番目に出力された信号はＳＰ信号として使用されず、第１３番目に出力された信号はＳＰ信号として使用される。このように、ＰＲＢＳ生成回路により順次出力された信号のうち、ＳＰ信号として配置された番号に対応する信号のみがＳＰ信号として使用される。この場合、ＳＰ信号は、ＰＲＢＳ生成回路の１１個のメモリ（Ｄ）に初期値として格納されるデータに依存して、異なるデータとなる。
【００２３】
表１は、地上デジタル放送波（地上デジタル放送波再送信信号）の各セグメントにおけるＳＰ信号の初期値（ＰＲＢＳ生成回路の１１個のメモリ（Ｄ）に格納されるデータ）を示す表である。
【表１】
0004909231.tif 000002
表１によれば、各セグメントにおけるＳＰ信号の初期値はそれぞれ異なるから、各セグメントの周波数領域において、データの異なるＳＰ信号、すなわち位相が異なるＳＰ信号が配置されることがわかる。
【００２４】
表２は、連結再送信信号の各セグメントにおけるＳＰ信号の初期値を示す表である。
【表２】
0004909231.tif 000003
表２によれば、各セグメントにおけるＳＰ信号の初期値は同一であるから、各セグメントの周波数領域において、データが同一のＳＰ信号、すなわち位相が同一のＳＰ信号が配置されることがわかる。
【００２５】
つまり、表１及び表２によれば、表１に示した地上デジタル放送波再送信信号のセグメント＃０におけるＳＰ信号の初期値と、表２に示した連結再送信信号のセグメント＃０におけるＳＰ信号の初期値とは同一であるから、セグメント＃０においては同一のＳＰ信号が配置される。つまり、同一のパターンとなる。一方、地上デジタル放送波再送信信号のセグメント＃１〜＃１２におけるＳＰ信号の初期値と、連結再送信信号のセグメント＃１〜＃１２のＳＰ信号の初期値とはそれぞれ異なるから、セグメント＃１〜＃１２においては、データが異なるＳＰ信号、すなわち位相が異なるＳＰ信号が配置される。つまり、異なるパターンとなる。
【００２６】
本発明はこの点に着目したものであり、本発明の実施の形態による受信装置は、地上デジタル放送波再送信信号のセグメント＃０以外のセグメントにおいて周波数上に配置されたＳＰ信号と実際に受信したＳＰ信号との間の位相差、及び、連結再送信信号のセグメント＃０以外のセグメントにおいて周波数上に配置されたＳＰ信号と実際に受信したＳＰ信号との間の位相差を求め、これらの位相差に基づいて、受信した信号すなわち再送信装置からの信号が、地上デジタル放送波再送信信号であるか、または、連結再送信信号であるかを識別する。ここで、受信信号が地上デジタル放送波再送信信号の場合は、地上デジタル放送波再送信信号の周波数上に配置されたＳＰ信号と実際に受信したＳＰ信号との間の位相差は０に近く、連結再送信信号の周波数上に配置されたＳＰ信号と実際に受信したＳＰ信号との間の位相差は０から離れた値となる。一方、受信信号が連結再送信信号の場合は、連結再送信信号の周波数上に配置されたＳＰ信号と実際に受信したＳＰ信号との間の位相差は０に近く、地上デジタル放送波再送信信号の周波数上に配置されたＳＰ信号と実際に受信したＳＰ信号との間の位相差は０から離れた値となる。
【００２７】
（実施例１）
まず、実施例１について説明する。図１は、本発明の実施の形態による受信装置の構成（実施例１）を示すブロック図である。この受信装置は、再送信装置から再送信信号を受信し、その再送信信号のうちのワンセグ信号を復調する装置であり、受信アンテナ部１００、チューナー部２００、デジタル処理部３００、復調回路４００、コンスタレーション算出回路５００及び検出部６００を備えて構成される。チューナー部２００は、受信変換回路２０１及びＢＰＦ回路２０２を備えており、デジタル処理部３００は、ＡＤ変換回路３０１、直交復調回路３０２、シンボル同期回路３０３及びＦＦＴ回路３０４を備えており、検出部６００は、係数算出回路６０１及び判定回路６０２を備えている。
【００２８】
チューナー部２００の受信変換回路２０１は、再送信装置により再送信されたＲＦ信号を、受信アンテナ部１００を介して受信し、受信したＲＦ信号に対し、その中心がセグメント＃０以外のセグメント（例えば、セグメント＃１またはセグメント＃２）になるように周波数を調整し、低周波数ＬｏＩＦ（例えば０．５〜１ＭＨｚ）信号に周波数変換する。通常の受信変換回路は、受信したＲＦ信号に対し、その中心がセグメント＃０になるように周波数を調整するが、この受信変換回路２０１は、後段のＢＰＦ回路２０２がセグメント＃０以外のセグメントの信号を抽出できるように、セグメント＃０以外のセグメントを中心として調整する。また、検出部６００の判定回路６０２から判定結果を入力し、その判定結果（再送信信号が地上デジタル放送波再送信信号であるか、または連結再送信信号であるかの識別結果）に基づいて、ワンセグ信号を得るためのスキャンを行う。詳細については後述する。
【００２９】
ＢＰＦ回路２０２は、受信変換回路２０１から低周波数ＬｏＩＦ信号を入力し、少なくともセグメント＃０以外のセグメントの信号（ワンセグ信号と同じ帯域約４２８ｋＨｚ）を抽出する。
【００３０】
図９は、通常の受信変換回路を使用した場合にＢＰＦ回路２０２によるフィルタ通過後のセグメントを示す図である。図５において点線で示した曲線は、ＢＰＦ回路２０２によりフィルタ処理される信号の領域を示す。このように、ＢＰＦ回路２０２は、急峻なフィルタではないため、中央の周波数を中心としたセグメント＃０の信号に加え、その両側に配置されたセグメント＃１，＃２における一部の信号も抽出する。
【００３１】
図１０は、図１に示した受信変換回路２０１を使用してセグメント＃１を抽出する場合において、ＢＰＦ回路２０２によるフィルタ通過後のセグメントを示す図である。このように、ＢＰＦ回路２０２は、中央の周波数を中心としたセグメント＃１の信号に加え、その両側に配置されたセグメント＃３，＃０における一部の信号も抽出する。また、図１１は、図１に示した受信変換回路２０１を使用してセグメント＃２を抽出する場合において、ＢＰＦ回路２０２によるフィルタ通過後のセグメントを示す図である。このように、ＢＰＦ回路２０２は、中央の周波数を中心としたセグメント＃２の信号に加え、その両側に配置されたセグメント＃０，＃４における一部の信号も抽出する。
【００３２】
図１に戻って、デジタル処理部３００のＡＤ変換回路３０１は、ＢＰＦ回路２０２から低周波数ＬｏＩＦ信号を入力し、サンプリング周波数（例えば低周波数ＬｏＩＦ信号の２〜４倍である１〜４ＭＨｚ）でＡＤ変換してデジタル信号を生成する。直交復調回路３０２は、ＡＤ変換回路３０１からデジタル信号を入力し、直交復調することにより複素の等価ベースバンド信号に変換する。直交復調回路３０２により変換された複素の等価ベースバンド信号は、シンボル同期回路３０３及びＦＦＴ回路３０４に入力される。
【００３３】
シンボル同期回路３０３は、直交復調回路３０２から複素の等価ベースバンド信号を入力し、その等価ベースバンド信号におけるシンボルの先頭位置を検出する。ＦＦＴ回路３０４は、直交復調回路３０２から複素の等価ベースバンド信号を入力し、シンボル同期回路３０３からシンボルの先頭位置の情報を入力し、そのシンボルの先頭位置を基準にして、時間領域の等価ベースバンド信号から周波数領域の等価ベースバンド信号に変換する。ＦＦＴ回路３０４により変換された周波数領域の等価ベースバンド信号は、図１０及び図１１に示したように、セグメント＃０以外のセグメント＃１（図１０）またはセグメント＃２（図１１）を含む、周波数領域の等価ベースバンド信号となり、復調回路４００及びコンスタレーション算出回路５００に入力される。
【００３４】
図３は、図１に示したコンスタレーション算出回路５００の構成を示すブロック図である。このコンスタレーション算出回路５００は、ＳＰ抽出回路５０１、ＳＰ算出回路５０２−１，５０２−２及び複素除算回路５０３を備えている。ＳＰ抽出回路５０１は、デジタル処理部３００のＦＦＴ回路３０４から周波数領域の等価ベースバンド信号を入力し、ＳＰ信号のみを抽出し、受信信号のＳＰパターンとして出力する。図１２に示したように、ＳＰ信号はそのキャリア配置が予め決められているから、周波数領域の等価ベースバンド信号からＳＰ信号のみを抽出することができる。
【００３５】
ＳＰ算出回路５０２−１は、表１に示した地上デジタル放送波再送信信号のＳＰ信号の初期値を用いて、図１３に示したＰＲＢＳ生成回路によりＳＰ信号を算出し、地上デジタル放送波再送信信号のＳＰパターンとして出力する。例えば、チューナー部２００によりセグメント＃１が抽出される場合は、表１におけるセグメント＃１の初期値「１１１００１１０１１０」を用いてＳＰ信号を算出しＳＰパターンを出力する。また、ＳＰ算出回路５０２−２は、表２に示した連結再送信信号のＳＰ信号の初期値を用いて、図１３に示したＰＲＢＳ生成回路によりＳＰ信号を算出し、連結再送信信号のＳＰパターンとして出力する。例えば、チューナー部２００によりセグメント＃１が抽出される場合は、表２におけるセグメント＃１の初期値「００１００００１０１１」を用いてＳＰ信号を算出しＳＰパターンを出力する。尚、前述したように、表２に示した連結再送信号の場合の各セグメントにおけるＳＰ信号の初期値は同一であるため、同一のＳＰ信号が算出され、同一のＳＰパターンが出力される。図１６は、ＳＰ算出回路５０２−１，５０２−２により算出されたＳＰ信号のコンスタレーションを示す図である。ＳＰ信号のコンスタレーションは、ＩＱ軸においてＳＰ１が配置されるＩ＝Ａ，Ｑ＝０と、ＳＰ２が配置されるＩ＝−Ａ，Ｑ＝０となる。
【００３６】
複素除算回路５０３は、ＳＰ抽出回路５０１から受信信号のＳＰパターン（受信信号における周波数領域のＳＰの等価ベースバンド信号）を入力し、ＳＰ算出回路５０２−１から地上デジタル放送波再送信信号のＳＰパターンを入力し、ＳＰ算出回路５０２−２から連結再送信信号のＳＰパターンを入力する。そして、受信信号のＳＰパターンを分子及び地上デジタル放送波再送信信号のＳＰパターンを分母として複素除算し、複素演算結果（コンスタレーション値）Ｓ１として検出部６００に出力する。同様に、受信信号のＳＰパターンを分子及び連結再送信信号のＳＰパターンを分母として複素除算し、複素除算結果（コンスタレーション値）Ｓ２として検出部６００に出力する。
【００３７】
図１４は、受信信号のＳＰパターンと地上デジタル放送波再送信信号または連結再送信信号のＳＰパターンとが一致する場合のＳＰ信号のコンスタレーションの一例を示す図である。また、図１５は、ＳＰパターンが一致しない場合のＳＰ信号のコンスタレーションの一例を示す図である。図１４に示すように、ＳＰパターンが一致する場合は、複素除算回路５０３により算出された複素演算結果は、分母及び分子のＳＰ信号の位相がほぼ同じであるから、複素数Ａ付近の値（受信信号のためノイズ等の影響を受けているからＡ付近の値となる。）を複素数Ａ（図１６を参照）で除算した結果、または、複素数−Ａ付近の値（前記同様）を複素数−Ａ（図１６を参照）で除算した結果、すなわち複素数Ａ付近の値になり、そのコンスタレーションは、ＩＱ軸においてＩ＝Ａ，Ｑ＝０付近となる。これに対し、図１５において、ＳＰパターンが一致しない場合は、複素除算回路５０３により算出された複素演算結果は、分母及び分子のＳＰ信号の位相がほぼ同じ場合と全く異なる場合とに分かれるから、複素数Ａ（−Ａ）付近の値を複素数Ａ（−Ａ）で除算した結果、すなわち複素数Ａ付近の値になり、また、複素数Ａ（−Ａ）付近の値を複素数−Ａ（Ａ）で除算した結果、すなわち複素数−Ａ付近の値になる。そして、そのコンスタレーションは、ＩＱ軸においてＩ＝Ａ，Ｑ＝０付近及びＩ＝−Ａ，Ｑ＝０付近となる。
【００３８】
すなわち、受信信号が地上デジタル放送波再送信信号の場合、複素除算回路５０３は、ＳＰ算出回路５０２−１により算出された地上デジタル放送波再送信信号のＳＰパターンを分母として複素除算を行い、このときはＳＰパターンが一致し、ＳＰ信号の位相がほぼ同じになる。このため、図１４のようなコンスタレーションとなる。また、複素除算回路５０３は、ＳＰ算出回路５０２−２により算出された連結再送信信号のＳＰパターンを分母として複素除算を行い、このときはＳＰパターンが一致せず、位相がほぼ同じＳＰ信号と位相が全く異なるＳＰ信号とが存在する。このため、図１５のようなコンスタレーションとなる。
【００３９】
一方、受信信号が連結再送信信号の場合、複素除算回路５０３は、ＳＰ算出回路５０２−１により算出された地上デジタル放送波再送信信号のＳＰパターンを分母として複素除算を行い、このときはＳＰパターンが一致せず、位相がほぼ同じＳＰ信号と位相が全く異なるＳＰ信号とが存在する。このため、図１５のようなコンスタレーションとなる。また、複素除算回路５０３は、ＳＰ算出回路５０２−２により算出された連結再送信信号のＳＰパターンを分母として複素除算を行い、このときはＳＰパターンが一致し、ＳＰ信号の位相がほぼ同じになる。このため、図１４のようなコンスタレーションとなる。
【００４０】
このように、複素除算回路５０３において、受信信号のＳＰパターンと、ＳＰ算出回路５０２−１，５０２−２により算出されたＳＰパターンとが一致した場合は、図１４のような一箇所に集中したコンスタレーションとなり、ＳＰパターンが一致しなかった場合は、図１５のような２箇所に分散したコンスタレーションとなる。
【００４１】
図１に戻って、検出部６００の係数算出回路６０１は、複素除算回路５０３から複素除算結果Ｓ１，Ｓ２を入力し、そのコンスタレーションの散らばり具合い（一致具合いの逆数）を示す係数Ｔ１，Ｔ２を算出する。
【００４２】
具体的には、係数算出回路６０１は、複素除算回路５０３から、複素演算結果であるＳＰ信号（複素除算されたＳＰ信号）の周波数領域の等価ベースバンド信号Ｓ１（ｉ，ｋ）及びＳ２（ｉ，ｋ）を入力する。ここで、Ｓ１（ｉ，ｋ）は、地上デジタル放送波再送信信号のＳＰパターンを用いた場合の等価ベースバンド信号を示し、Ｓ２（ｉ，ｋ）は、連結再送信信号のＳＰパターンを用いた場合の等価ベースバンド信号を示す。尚、ｉはシンボル数（整数）であり、ｋはＳＰ信号が配置されたキャリア番号を０から順番に付した統一番号（整数）である。
【００４３】
係数算出回路６０１は、入力した等価ベースバンド信号Ｓ１（ｉ，ｋ）から位相θ１（ｉ，ｋ）を、以下の式を用いて算出する。ここで、ＳをＳ１とし、θをθ１とする。
【数１】
0004909231.tif 000004
尚、ａｔａｎ２（）は、アークタンジェント（逆正接、arctangent）を算出する関数であり、−πから＋πの範囲のラジアン単位の値を出力する。
【００４４】
そして、係数算出回路６０１は、位相θ１（ｉ，ｋ）から、統一したキャリア番号が隣り合う等価ベースバンド信号Ｓ１（ｉ，α）とＳ１（ｉ，α＋１）との間の位相差Δθ１（ｉ，α）を、以下の式を用いて算出する。ここで、θをθ１とする。
【数２】
0004909231.tif 000005
【００４５】
そして、係数算出回路６０１は、位相差Δθ１（ｉ，α）と予め設定された値γ（例えば３／４π）とを比較し、
Δθ１（ｉ，α）≧γ
の場合１とし、
Δθ１（ｉ，α）＜γ
の場合０として、合計値である係数Ｔ１を、以下の式を用いて算出する。ここで、θをθ１とし、ＴをＴ１とする。
【数３】
0004909231.tif 000006
【００４６】
同様にして、係数算出回路６０１は、入力した等価ベースバンド信号Ｓ２（ｉ，ｋ）から位相θ２（ｉ，ｋ）を前記式（１）により算出し、位相θ２（ｉ，ｋ）から位相差Δθ２（ｉ，α）を前記式（２）により算出し、位相差Δθ２（ｉ，α）と予め設定された値γ（例えば３／４π）とから係数Ｔ２を前記式（３）により算出する。ここで、ＳをＳ２とし、θをθ２とし、ＴをＴ２とする。このようにして算出された係数Ｔ１，Ｔ２は、判定回路６０２に入力される。ここで、係数Ｔ１，Ｔ２は、前述にように、コンスタレーションの散らばり具合いを示しており、係数値が大きいほど、受信信号のＳＰパターンと地上デジタル放送波再送信信号または連結再送信信号のＳＰパターンとの一致度合いが低く、係数値が大きいほど、一致度合いが高いことを示している。
【００４７】
判定回路６０２は、係数算出回路６０１から、地上デジタル放送波再送信信号のＳＰパターンを用いて算出された係数Ｔ１及び連結再送信信号のＳＰパターンを用いて算出された係数Ｔ２を入力し、係数Ｔ１と係数Ｔ２とを比較し、
Ｔ１＜Ｔ２
を判定した場合、すなわち、地上デジタル放送波再送信信号を用いたときのコンスタレーションの散らばり具合いが連結再送信信号を用いたときのコンスタレーションの散らばり具合いよりも小さい場合、受信装置１が受信している信号すなわち再送信信号は地上デジタル放送波再送信信号であると判定する。また、
Ｔ１＞Ｔ２
を判定した場合、すなわち、連結再送信信号を用いたときのコンスタレーションの散らばり具合いが地上デジタル放送波再送信信号を用いたときのコンスタレーションの散らばり具合いよりも小さい場合、受信装置１が受信している信号すなわち再送信信号は連結再送信信号であると判定する。そして、判定回路６０２により判定された判定結果は、チューナー部２００の受信変換回路２０１に入力される。
【００４８】
そして、チューナー部２００の受信変換回路２０１は、判定回路６０２から判定結果を入力し、再送信信号が地上デジタル放送波再送信信号である場合、６ＭＨｚの周波数帯で構成される１チャンネルのうちのセグメント＃０のみがワンセグ信号であることから、セグメント＃０が中心となるように周波数を調整する。この場合、復調回路４００は、セグメント＃０の信号を復調することにより、ワンセグ信号の情報を得る。そして、受信変換回路２０１は、次のチャンネルの判定のために、セグメント＃０以外のセグメントが中心となるように周波数を調整する。例えば、ＵＨＦ１３チャンネルの判定のためにセグメント＃１を現在スキャンし、入力した判定結果により、再送信信号が地上デジタル放送波再送信信号である場合は、ＵＨＦ１３チャンネルのセグメント＃０のスキャンを行い、その後、次のＵＨＦ１４チャンネルの判定のためにセグメント＃１をスキャンする。
【００４９】
一方、受信変換回路２０１は、再送信信号が連結再送信信号である場合、６ＭＨｚの周波数帯で構成される１チャンネルのうちの１３セグメントの全てがワンセグ信号であることから、そのチャンネルの先頭のセグメント＃１１が中心となるように周波数を調整する。そして、先頭のセグメント＃１１から順番に全てのセグメントをスキャンする。例えば、ＵＨＦ１３チャンネルのセグメント＃０を現在スキャンしているときは、そのチャンネルのうちの最も低い周波数のセグメント＃１１から順番にセグメント＃９，＃７，・・・・，＃１２をスキャンする（図８を参照）。この場合、復調回路４００は、全てのセグメントの信号を復調することにより、ワンセグ信号の情報を得る。そして、受信変換回路２０１は、次のチャンネルの判定のために、セグメント＃０以外のセグメントが中心となるように周波数を調整する。例えば、ＵＨＦ１３チャンネルの判定のためにセグメント＃１を現在スキャンし、入力した判定結果により、再送信信号が連結再送信信号である場合は、ＵＨＦ１３チャンネルのセグメント＃１１から順番に全てのセグメントのスキャンを行い、その後、次のＵＨＦ１４チャンネルの判定のためにセグメント＃１をスキャンする。
【００５０】
以上のように、本実施例１の受信装置１によれば、コンスタレーション算出回路５００の複素除算回路５０３が、受信信号のＳＰパターンを分子としてＳＰ算出回路５０２−１により算出された地上デジタル放送波再送信信号のＳＰパターン及びＳＰ算出回路５０２−２により算出された連結再送信信号のＳＰパターンを分母として複素除算結果Ｓ１，Ｓ２を算出し、検出部６００の係数算出回路６０１が、その複素除算結果Ｓ１，Ｓ２を用いて、コンスタレーションの散らばり具合いを示す係数Ｔ１，Ｔ２を算出し、そして、判定回路６０２が、係数の小さい方（散らばっていない方）を特定することにより、受信した信号すなわち再送信装置からの信号が、地上デジタル放送波再送信信号であるか、または連結再送信信号であるかを識別するようにした。すなわち、複素除算回路５０３により算出された複素除算結果Ｓ１，Ｓ２は、それぞれ図１４及び図１５に示したコンスタレーションのいずれかになる。つまり、受信信号のＳＰパターンと地上放送波再送信信号のＳＰパターンまたは連結再送信信号のＳＰパターンとが一致する場合、ＳＰ信号の位相がほぼ同じになるから、そのコンスタレーションは図１４に示したように１箇所に集中する。これに対し、ＳＰパターンが一致しない場合、位相が全く異なるＳＰ信号が存在するから、そのコンスタレーションは図１５に示したように２箇所に分散する。この分散度合いを係数Ｔ１，Ｔ２として表現することにより、再送信信号を識別するようにした。これにより、再送信信号が地上デジタル放送波再送信信号である場合は、そのチャンネルのセグメント＃０のみがワンセグ信号であるから、セグメント＃０の信号のみを復調することにより、ワンセグ信号の情報を得ることができる。また、再送信信号が連結再送信信号である場合は、そのチャンネルのうちの１３セグメント全てがワンセグ信号であるから、全てのセグメントの信号を復調することにより、ワンセグ信号の情報を得ることができる。したがって、必要最小限のスキャン処理により、ワンセグ信号の情報を得ることができるから、受信装置１における処理負担を軽減し処理時間を短縮することができる。
【００５１】
（実施例２）
次に、実施例２について説明する。図２は、本発明の実施の形態による受信装置の構成（実施例２）を示すブロック図である。この受信装置２は、受信アンテナ部１００、チューナー部２００、デジタル処理部３００、復調回路４００、コンスタレーション算出回路５００−１，５００−２及び検出部６００を備えて構成される。図１に示した実施例１の受信装置１と実施例２の受信装置２とを比較すると、両装置とも、受信アンテナ部１００、チューナー部２００、デジタル処理部３００、復調回路４００及び検出部６００を備えている点で同一であるが、受信装置１が１系統のコンスタレーション算出回路５００を備えているのに対し、受信装置２が２系統のコンスタレーション算出回路５００−１，５００−２を備えている点で相違する。図２において、図１と共通する部分には図１と同一の符号を付し、その詳しい説明は省略する。
【００５２】
デジタル処理部３００のＦＦＴ回路３０４により変換された周波数領域の等価ベースバンド信号は、復調回路４００及びコンスタレーション算出回路５００−１，５００−２に入力される。
【００５３】
コンスタレーション算出回路５００−１は、ＦＦＴ回路３０４から周波数領域の等価ベースバンド信号を入力し、地上デジタル放送波再送信信号のＳＰパターンを用いた場合の複素除算結果（コンスタレーション値）Ｓ１を算出し、検出部６００の係数算出回路６０１に出力する。また、コンスタレーション算出回路５００−２は、ＦＦＴ回路３０４から周波数領域の等価ベースバンド信号を入力し、連結再送信信号のＳＰパターンを用いた場合の複素除算結果（コンスタレーション値）Ｓ２を算出し、検出部６００の係数算出回路６０１に出力する。
【００５４】
図４は、図１に示したコンスタレーション算出回路５００−１の構成を示すブロック図である。このコンスタレーション算出回路５００−１は、ＳＰ抽出回路５０１、ＳＰ算出回路５０２−１及び複素除算回路５０３−１を備えている。ＳＰ抽出回路５０１は、ＦＦＴ回路３０４から周波数領域の等価ベースバンド信号を入力し、ＳＰ信号のみを抽出し、受信信号のＳＰパターンとして出力する。ＳＰ算出回路５０２−１は、表１に示した地上デジタル放送波再送信信号のＳＰ信号の初期値を用いて、図１３に示したＰＲＢＳ生成回路によりＳＰ信号を算出し、地上デジタル放送波再送信信号のＳＰパターンとして出力する。複素除算回路５０３−１は、ＳＰ抽出回路５０１から受信信号のＳＰパターンを入力し、ＳＰ算出回路５０２−１から地上デジタル放送波再送信信号のＳＰパターンを入力する。そして、受信信号のＳＰパターンを分子及び地上デジタル放送波再送信信号のＳＰパターンを分母として複素除算し、複素演算結果Ｓ１を得る。
【００５５】
図５は、図１に示したコンスタレーション算出回路５００−２の構成を示すブロック図である。このコンスタレーション算出回路５００−２は、ＳＰ抽出回路５０１、ＳＰ算出回路５０２−２及び複素除算回路５０３−２を備えている。ＳＰ抽出回路５０１は、図４に示したものと同様である。ＳＰ算出回路５０２−２は、表２に示した連結再送信信号のＳＰ信号の初期値を用いて、図１３に示したＰＲＢＳ生成回路によりＳＰ信号を算出し、連結再送信信号のＳＰパターンとして出力する。複素除算回路５０３−２は、ＳＰ抽出回路５０１から受信信号のＳＰパターンを入力し、ＳＰ算出回路５０２−２から連結再送信信号のＳＰパターンを入力する。そして、受信信号のＳＰパターンを分子及び連結再送信信号のＳＰパターンを分母として複素除算し、複素演算結果Ｓ２を得る。
【００５６】
コンスタレーション算出回路５００−１により算出された複素演算結果Ｓ１及びコンスタレーション算出回路５００−２により算出された複素演算結果Ｓ２は、検出部６００の係数算出回路６０１に入力され、前述したように、判定回路６０２により再送信信号が識別される。
【００５７】
以上のように、実施例２の受信装置２によれば、コンスタレーション算出回路５００−１が地上デジタル放送波再送信信号のＳＰパターンを用いて複素除算結果Ｓ１を算出し、コンスタレーション算出回路５００−２が連結再送信信号のＳＰパターンを用いて複素除算結果Ｓ２を算出し、検出部６００の係数算出回路６０１が、その複素除算結果Ｓ１，Ｓ２を用いて、コンスタレーションの散らばり具合いを示す係数Ｔ１，Ｔ２を算出し、そして、判定回路６０２が、係数の小さい方（散らばっていない方）を特定することにより、受信した信号すなわち再送信装置からの信号が、地上デジタル放送波再送信信号であるか、または連結再送信信号であるかを識別するようにした。これにより、再送信信号が地上デジタル放送波再送信信号である場合は、そのチャンネルのセグメント＃０のみがワンセグ信号であるから、セグメント＃０の信号のみを復調することにより、ワンセグ信号の情報を得ることができる。また、再送信信号が連結再送信信号である場合は、そのチャンネルのうちの１３セグメント全てがワンセグ信号であるから、全てのセグメントの信号を復調することにより、ワンセグ信号の情報を得ることができる。したがって、必要最小限のスキャン処理により、ワンセグ信号の情報を得ることができるから、受信装置１における処理負担及び処理時間を軽減することができる。
【００５８】
以上、実施例を挙げて本発明を説明したが、本発明は上記実施例に限定されるものではなく、その技術思想を逸脱しない範囲で種々変形可能である。例えば、コンスタレーション算出回路５００の複素除算回路５０３が複素除算結果Ｓ１，Ｓ２を算出し、検出部６００の係数算出回路６０１が前記式（１）〜（３）により位相、位相差、及びコンスタレーションの散らばり具合いを示す係数を算出し、判定回路６０２がその係数の小さい方の信号を再送信信号として識別するようにしたが、本発明は前記式（１）〜（３）を用いることに限定されるものではない。例えば、係数算出回路６０１が、受信信号のＳＰパターンと地上デジタル放送波再送信信号との一致度合いを示す係数、及び受信信号のＳＰパターンと連結再送信信号のＳＰパターンとの一致度合いを示す係数を算出し、判定回路６０２がその係数の大きい方の信号を再送信信号として識別するようにしてもよい。要するに、判定回路６０２が、受信信号のＳＰパターンと地上放送波再送信信号のＳＰパターンまたは連結再送信信号のＳＰパターンとが一致するか否かを判定し、一致した場合のＳＰパターンを有する信号を再送信信号であると識別できればよい。
【００５９】
また、前記実施の形態による受信装置１は、ＩＳＤＢ−Ｔ方式の地上デジタル放送波に適用があるが、ＩＳＤＢ−ＴＳＢの地上デジタル放送波についても適用がある。
【００６０】
また、前記実施の形態による受信装置１は、地上デジタル放送波が直接届かない場所で使用される場合を想定し、再送信装置から送信された地上デジタル放送波再送信信号及び連結再送信信号を受信して識別するようにしたが、地上デジタル放送波が直接届く場所で使用される場合は、送信所からの地上デジタル放送波の信号を直接受信することができる。この場合、受信装置１は、送信所から地上デジタル放送波の信号を直接受信するときの処理と、再送信信号から送信された地上デジタル放送波再送信信号を受信するときの処理とを同様にすることができる。したがって、受信装置１は、再送信信号が地上デジタル放送波再送信信号であるか、または連結再送信信号であるかを識別するだけでなく、受信信号が地上デジタル放送波の信号であるか、または連結再送信信号であるかを識別することができる。
【図面の簡単な説明】
【００６１】
【図１】本発明の実施の形態による受信装置の構成（実施例１）を示すブロック図である。
【図２】本発明の実施の形態による受信装置の構成（実施例２）を示すブロック図である。
【図３】実施例１におけるコンスタレーション算出回路の構成を示すブロック図である。
【図４】実施例２におけるコンスタレーション算出回路（地上放送波再送信信号用）の構成を示すブロック図である。
【図５】実施例２におけるコンスタレーション算出回路（連結再送信信号用）の構成を示すブロック図である。
【図６】地上デジタル放送波をそのまま再送信する場合を示す図である。
【図７】地上デジタル放送波のワンセグ信号を抽出及び連結して再送信する場合を示す図である。
【図８】地上デジタル放送波のセグメント配置と番号を示す図である。
【図９】セグメント＃０を抽出する場合のＢＰＦ回路によるフィルタ通過後のセグメントを示す図である。
【図１０】セグメント＃１を抽出する場合のＢＰＦ回路によるフィルタ通過後のセグメントを示す図である。
【図１１】セグメント＃２を抽出する場合のＢＰＦ回路によるフィルタ通過後のセグメントを示す図である。
【図１２】ＳＰ信号のキャリア配置とパターンを示す図である。
【図１３】ＰＲＢＳ生成回路の構成を示す図である。
【図１４】ＳＰパターンが一致する場合のＳＰ信号のコンスタレーションの一例を示す図である。
【図１５】ＳＰパターンが一致しない場合のＳＰ信号のコンスタレーションの一例を示す図である。
【図１６】ＰＲＢＳ生成回路により生成されるＳＰ信号のコンスタレーションを示す図である。
【符号の説明】
【００６２】
１，２  受信装置
１００  受信アンテナ部
２００  チューナー部
２０１  受信変換回路
２０２  ＢＰＦ回路
３００  デジタル処理部
３０１  ＡＤ変換回路
３０２  直交復調回路
３０３  シンボル同期回路
３０４  ＦＦＴ回路
４００  復調回路
５００  コンスタレーション算出回路
５０１  ＳＰ抽出回路
５０２  ＳＰ算出回路
５０３  複素除算回路
６００  検出部
６０１  係数算出回路
６０２  判定回路
【図１】
0004909231.tif 000007
【図２】
0004909231.tif 000008
【図３】
0004909231.tif 000009
【図４】
0004909231.tif 000010
【図５】
0004909231.tif 000011
【図６】
0004909231.tif 000012
【図７】
0004909231.tif 000013
【図８】
0004909231.tif 000014
【図９】
0004909231.tif 000015
【図１０】
0004909231.tif 000016
【図１１】
0004909231.tif 000017
【図１２】
0004909231.tif 000018
【図１３】
0004909231.tif 000019
【図１４】
0004909231.tif 000020
【図１５】
0004909231.tif 000021
【図１６】
0004909231.tif 000022